(57)【要約】【課題】  ローディング時およびアンローディング時、異音の発生しないディスク装置を提供する。【解決手段】  回動自在のディスク検出アーム３１（および３２）と、この検出アーム３１により操作されるスイッチ５１と、スイッチ５１の出力により制御されるローディング機構４０とを設ける。検出アーム３１には、ディスク１０がディスク挿入スリットから差し込まれたとき、この差し込まれたディスク１０により押されてディスク検出アーム３１を回動させるディスク検出ピン３１Ａ（および３２Ａ）を設ける。ディスク検出ピン３１Ａの外径にはテーパーを付け、ディスク検出ピン３１Ａがディスク１０に接するとき、ディスク検出ピン３１Ａはディスク１０の周縁部の一方の稜線部分だけに接するようにする。【選択図】  図１
2006147064.tif 000002
【特許請求の範囲】
【請求項１】
シャーシに対して回動自在に支持されたディスク検出アームと、
このディスク検出アームが所定の位置まで回動したとき、このディスク検出アームにより操作されるスイッチと、
このスイッチの出力によりディスクのローディングを行うローディング機構と
を有し、
上記ディスク検出アームは、
上記ディスクがディスク挿入スリットから差し込まれたとき、この差し込まれたディスクにより押されて上記ディスク検出アームを回動させるディスク検出ピン
を有し、
このディスク検出ピンは、その外径が長さ方向に向かうにつれて次第に小さくなるようにテーパーが付けられ、
上記ディスク検出ピンが上記ディスクに接するとき、上記テーパーにより上記ディスク検出ピンは上記ディスクの周縁部の一方の稜線部分だけに接する
ようにしたディスク装置。
【請求項２】
請求項１に記載のディスク装置において、
上記ディスク検出ピンは、上記ディスク検出アームに対して回転自在に支持されている
ようにしたディスク装置。
【請求項３】
請求項２に記載のディスク装置において、
上記ディスク検出アームおよび上記ディスク検出ピンはそれぞれ１対とされ、
上記ディスクの挿入方向に対して対称の位置に設けられている
ようにしたディスク装置。
【請求項４】
請求項２あるいは請求項３に記載のディスク装置において、
上記ディスク挿入スリットとスピンドル軸との間に設けられた１対のローディングローラと、
このローディングローラを回転駆動するローディングモータと
を有し、
上記ディスクが上記ディスク挿入スリットを通じて差し込まれることにより、上記ディスク検出アームが上記所定の位置まで回動したとき、上記スイッチが操作されて上記ローディングモータが通電され、
この通電の結果、上記ローディングモータにより上記ローディングローラが回転して上記ディスクを引き込む
ようにしたディスク装置。
【発明の詳細な説明】
【技術分野】
【０００１】
この発明は、ディスク装置、特にそのディスクの検出機構に関する。
【背景技術】
【０００２】
一般の据置型のＤＶＤプレーヤに採用されているディスク装置（ディスクドライブユニット）では、ＤＶＤ（ＤＶＤディスク）をトレイに乗せて操作ボタンを押すと、ＤＶＤのローディングが開始されるが、ＤＶＤをプレーヤのディスク挿入スリットに差し込むと、ＤＶＤのローディングが開始されるディスク装置もある。
【０００３】
この後者のディスク装置においては、
(1) ＤＶＤをスリットに差し込むと、これをディスク検出機構が検出する。  
(2) その検出出力によりローディングモータがスタートする。  
(3) ローディング機構がＤＶＤをスピンドル軸の位置まで引き込む。  
(4) チャッキング機構がＤＶＤをスピンドル軸にチャッキングする。  
のような動作が行われている。
【０００４】
この(1)〜(4)の動作を実行するディスク装置の場合には、トレイがプレーヤの前面から突き出ることがないので、車載用のＤＶＤプレーヤのほとんどに採用されている。
【０００５】
ここで、(1)〜(3)のディスク検出機構およびローディング機構について図２〜図５により説明すると、以下のとおりである。すなわち、図２〜図４は、主としてディスク検出機構を示す平面図、図５は、ローディング機構の要部を示す正面図である。ただし、図２〜図４においては、ディスク検出機構の構成を明確にするため、そのディスク検出機構が取り付けられているサブシャーシを透過した状態で示す。
【０００６】
また、標準の設置状態では、図２〜図４の場合、紙面の表面が上側、裏面が下側となるので、以下においては、この標準の設置状態を基準に説明する。さらに、図２〜図４では、ＤＶＤは紙面と平行に挿入・排出されるとともに、手前側がＤＶＤの挿入側となるものであり、前面パネルなどのディスク挿入スリット（図示せず）が位置する。
【０００７】
そして、図２〜図４において、符号１０は標準サイズのＤＶＤを示し、図２はそのＤＶＤ１０をスリットに差し込んだ直後の状態、図３はＤＶＤ１０のローディングが開始された状態、図４はＤＶＤ１０がさらにローディングされた状態をそれぞれ示す。
【０００８】
すなわち、図２〜図５において、サブシャーシ２０が全体としてＤＶＤ１０よりもやや大きい方形に構成され、そのほぼ中心の下方にスピンドル軸２３が位置している。そして、このシャーシ２０の下面に、１対のディスク検出アーム３１、３２が設けられている。
【０００９】
この場合、検出アーム３１は、板状のプラスチック材により全体としてほぼＬ字状に構成され、その一方の端部が、スピンドル軸２３の左側におけるシャーシ２０の下面に形成された凸部２１Ａに回動自在に支持されている。また、検出アーム３１の中央部付近の下面には、ディスク検出ピン３１Ａを有する。
【００１０】
さらに、検出アーム３２は、検出アーム３１とほぼ左右対象に構成されているもので、板状のプラスチック材により全体として裏返しのほぼＬ字状に構成されている。そして、この検出アーム３２の一方の端部が、シャーシ２０の右側下面に形成された凸部２２Ａに回動自在に支持されるとともに、検出アーム３２の遊端が検出アーム３１の遊端の上側に重なるように支持されている。また、検出アーム３２の中央部付近の下面には、ディスク検出ピン３２Ａを有する。
【００１１】
そして、検出アーム３１、３２のうち、相手の検出アーム３２、３１の遊端が近接する位置に、シングルサイズのＤＶＤやＣＤを挿入したとき、これを阻止するための検出ピン３１Ｂ、３２Ｂが一体に形成されている。
【００１２】
そして、検出アーム３１、３２の間にコイルバネ３３が架張され、検出アーム３１、３２は検出ピン３１Ａ、３２Ａが互いに近接する方向に偏倚させられている。なお、このとき、図２にも示すように、検出アーム３１、３２の遊端が、シャーシ２０の前縁の折り返しに当接することにより、検出ピン３１Ａ、３２Ａが所定の間隔よりも近づかないようにされている。また、図示はしないが、シャーシ２０には、検出アーム３１、３２の下側に、プラスチック材により構成された板体が設けられ、検出アーム３１、３２がシャーシ２０から脱落しないようにされている。
【００１３】
さらに、図５にも示すように、シャーシ２０の手前下側には、スピンドル軸２３と直交する方向に１対のローディングローラ４１、４２が配置されている。これらローラ４１、４２は、ディスクローディング機構４０を構成するもので、ＤＶＤの直径にほぼ等しい長さとされ、互いに平行で、かつ、上下方向に重なった状態で回転自在に配置されている。また、ローラ４１、４２は、その両端から中央に向かうにしたがって、外径が小さくされ、したがって、ローラ４１、４２の中央には間隙４５が形成されている。なお、この間隙４５の手前に、前面パネルなどのディスク挿入スリットが位置する。
【００１４】
そして、上側のローラ４１の一方の端部には、ギヤ４３を通じてローディングモータ４４が結合されている。また、図示はしないが、下側のローラ４２はローラ４１に回転的に接触するように、バネにより偏倚されている。さらに、シャーシ２０は、検出アーム３１、３２およびローラ４１、４２などを間にしてメインシャーシにマウントされている。
【００１５】
また、検出アーム３２の一部３２Ｃがアクチュエータ部とされ、シャーシ２０の下面のうち、検出アーム３２が所定の位置まで回動したとき、アクチュエータ部３２Ｃが当接する位置に、常開スイッチ５１、５２が設けられている。そして、これらスイッチ５１、５２の出力が制御回路（図示せず）に供給され、この制御回路によりローディングモータ４４の回転が以下のように制御される。
【００１６】
すなわち、ＤＶＤ１０がディスク挿入スリットに差し込まれていない状態、および、図２に示すように、ＤＶＤ１０をディスク挿入スリットに差し込まれた直後の状態では、検出ピン３１Ａ、３１Ｂの間隔はバネ３３により最小となっているが、このとき、検出アーム３２のアクチュエータ部３２Ｃは、スイッチ５１、５２に当接していないので、スイッチ５１、５２はオフである。そして、この状態では、ローディングモータ４４は通電されず、回転しない。したがって、ローラ４１、４２も回転しない。
【００１７】
しかし、図３に示すように、ＤＶＤ１０をその縁部がローラ４１、４２の間隙４５に達するまで差し込むと、このとき、ＤＶＤ１０により検出ピン３１Ａ、３２Ａが押されてそれらの間隔が広がるとともに、検出アーム３１、３２が凸部２１Ａ、２２Ａを中心に回動する。この結果、アクチュエータ部３２Ｃによりスイッチ５１が操作されてスイッチ５１はオンとされるので、モータ４４にローディング電圧が供給される。したがって、モータ４４が回転を始め、これによりローラ５１、５２が回転駆動されるので、ＤＶＤ１０はローディングされていく。
【００１８】
また、ローディングにつれて検出アーム３１、３２がさらに回動すると、アクチュエータ３２Ｃによりスイッチ５２もオンとなる。なお、ローディングにつれて検出ピン３１Ａ、３２Ａの間隔は広がっていくが、検出ピン３１Ａ、３２Ａを結ぶ直線上に、ＤＶＤ１０の直径が位置したとき、検出ピン３１Ａ、３２Ａの間隔は最大となり、以後は小さくなっていく。
【００１９】
そして、スイッチ５１あるいは５２がオンとなってから所定の期間が経過したとき、ＤＶＤ１０は、図４に符号１０Ａとして示すように、スピンドル軸２３まで搬送されているので、モータ４４のローディング電圧はオフとされ、ローラ５１、５２の回転は停止する。なお、このとき、検出ピン３１Ａ、３２Ａの間隔は再び最小となっているので、スイッチ５１、５２はオフである。
【００２０】
そして、ＤＶＤ１０が符号１０Ａの位置まで搬送されると、ローラ５２が下方向に移動してＤＶＤ１０はスピンドル軸２３にセットされ、さらに、チャッキング機構によりＤＶＤ１０はスピンドル軸２３に固定され、以後、再生などが行われる。
【００２１】
一方、ＤＶＤ１０が図４に符号１０Ａとして示す位置にあるとき、イジェクトボタンを押すと、ＤＶＤ１０のチャッキングが解除されるとともに、ローラ５２が上方向に移動し、ＤＶＤ１０はローラ５１、５２により挟まれた状態とされる。さらに、モータ４４にアンローディング電圧が供給される。したがって、ローラ５１、５２の回転によりＤＶＤ１０はアンローディングされていく。
【００２２】
そして、このアンローディングによりＤＶＤ１０が、図４に符号１０Ｂで示す位置に達すると、アクチュエータ部３２Ｃがスイッチ５２に当接しなくなるので、スイッチ５２はオンからオフになる。すると、モータ４４に供給されていたアンローディング電圧がオフとされ、アンローディングを終了する。
【００２３】
この符号１０Ｂで示す位置にＤＶＤ１０があるときには、ＤＶＤ１０はローラ５１、５２により狭時されているので、ＤＶＤ１０が落下することがない。そして、ユーザがＤＶＤ１０に指をかければ、取り出すことができる。
【００２４】
なお、ディスク挿入スリットにシングルサイズのＤＶＤを差し込んだ場合には、シングルサイズのＤＶＤは径が小さいので、例えば検出ピン３１ＡがＤＶＤにより押されても、検出ピン３２Ａは押されない。この結果、検出アーム３１だけが回動し、検出アーム３２は回動しないので、検出ピン３１Ｂが検出アーム３２の遊端の内側部分３２Ｄに当接し、検出アーム３１はそれ以上は回動できなくなる。
【００２５】
また、シングルサイズのＤＶＤを差し込んだ場合に検出ピン３２Ａが押されずに検出ピン３２Ｂが押されたときも、同様の理由により検出アーム３２は回動できなくなる。さらに、検出ピン３１Ａ、３２Ａの両方が押されたとしても、検出アーム３２が図３の位置まで回動することがなく、スイッチ５１がオンになることがない。したがって、シングルサイズのＤＶＤは、誤挿入を防止することができる。
【００２６】
以上が、トレイを使用しないＤＶＤのディスク検出機構およびローディング機構の構成と動作である。また、ＣＤとＤＶＤとは物理的な大きさが同じなので、ＣＤプレーヤやＣＤ／ＤＶＤ兼用プレーヤにおけるディスク装置の場合も同様の構成および動作とすることができる。
【００２７】
なお、トレイを使用しないＤＶＤのローディング機構として、ディスク挿入スリットにＤＶＤを差し込むと、そのＤＶＤを検出アームにより再生位置まで移動させるものなどもあり、先行技術文献として例えば以下のものがある。
【特許文献１】特開平９−２８０１６１号公報
【特許文献２】特開２００１−１７７９６５号公報
【発明の開示】
【発明が解決しようとする課題】
【００２８】
ところで、ＤＶＤの厚さは1.2mmであるが、これはほぼ0.6mm厚の２枚のディスクを接着剤によりはり合わせて構成している。このため、市販されている一部のＤＶＤには、図６に拡大して示すように、接着剤１３が、表面のディスク１１と裏面のディスク１２とのはり合わせ面から周縁部にはみ出しているものがある。しかも、この接着剤１３のはみ出し方には、ムラがあり、図６にも示すように、ＤＶＤ１０の周方向に数mmずつ断続的にはみ出している場合がほとんどである。
【００２９】
ところが、上述のディスク装置においては、ＤＶＤ１０のローディング時およびアンローディング時、検出ピン３１Ａ、３２ＡはＤＶＤ１０の周辺部に接するので、上記のようにＤＶＤ１０の周縁部に接着剤１３がはみ出しているとともに、そのはみ出し方にムラがあると、ローディングあるいはアンローディングにつれて検出アーム３１、３２がはねたり、振動したりしてしまい、異音が発生してしまう。
【００３０】
この異音の発生を抑えるには、ゴム材などによるダンパ部品を追加すればよいが、ゴム材はＤＶＤ１０との接触抵抗が大きいので、動作が不安定になってしまう。さらに、ゴム材の接触抵抗は温度による変化が大きいので、ゴム材の硬度や粗さなどの管理も必要である。
【００３１】
また、ＤＶＤ１０の検出を、検出アーム３１、３２に代わってフォトセンサで行うこともできるが、その場合には、フォトセンサに加えて、そのフォトセンサをメイン基板に接続するためのフレキシブルケーブルやコネクタなども必要とするので、コストが上昇してしまう。さらに、フォトセンサを使用すると、温度に対する信頼性が低下してしまう。
【００３２】
この発明は、以上のような問題点を解決しようとするものである。
【課題を解決するための手段】
【００３３】
この発明においては、
シャーシに対して回動自在に支持されたディスク検出アームと、
このディスク検出アームが所定の位置まで回動したとき、このディスク検出アームにより操作されるスイッチと、
このスイッチの出力によりディスクのローディングを行うローディング機構と
を有し、
上記ディスク検出アームは、
上記ディスクがディスク挿入スリットから差し込まれたとき、この差し込まれたディスクにより押されて上記ディスク検出アームを回動させるディスク検出ピン
を有し、
このディスク検出ピンは、その外径が長さ方向に向かうにつれて次第に小さくなるようにテーパーが付けられ、
上記ディスク検出ピンが上記ディスクに接するとき、上記テーパーにより上記ディスク検出ピンは上記ディスクの周縁部の一方の稜線部分だけに接する
ようにしたディスク装置
とするものである。
【発明の効果】
【００３４】
この発明によれば、ディスクのローディング時およびアンローディング時、ディスク検出アームが、はみ出した接着剤によりはねたり、振動したりすることがないので、異音の発生することがない。
【００３５】
また、ディスクの周縁部にはみ出した接着剤の影響を受けることがないので、ローディングおよびアンローディングの動作が安定となる。さらに、異音を発生させないための別部品を必要としないので、省スペース化に対応できるとともに、信頼性を確保することができる。しかも、ディスク検出ピンの外径にテーパーを付けるだけでよいので、コストの上昇がない。
【発明を実施するための最良の形態】
【００３６】
この発明においては、ディスク装置の全体は、例えば図２〜図６により上述したように構成される。そして、この発明においては、ディスク検出ピン３１Ａ、３２Ａが、例えば図１に示すように構成される。
【００３７】
すなわち、図１は、ディスク検出ピン３１Ａを拡大して示すもので、この検出ピン３１Ａは、ローラ３１１と、このローラ３１１を検出アーム３１に保持するピン３１２とから構成される。この場合、ローラ３１１は、検出アーム３１と同様のプラスチック材、例えばポリアセタール樹脂により円筒状に形成されるとともに、検出アーム３１から離れるほど外径が小さくなるように長さ方向にテーパーが付けられ、全体として逆円錐台状とされる。そして、このローラ３１１が、検出アーム３１の中央付近の下部に植立された金属製のピン３１２により、このピン３１２に対して回転自在に支持される。
【００３８】
また、検出ピン３２Ａも、逆円錐台状のローラ３１１が、検出アーム３２の中央付近の下部にピン３１２により回転自在に支持されて構成される。
【００３９】
このような構成によれば、図２に示すように、ディスク挿入スリットにＤＶＤ１０を差し込むと、検出ピン３１Ａ、３２ＡがＤＶＤ１０により押されていき、上述のようにＤＶＤ１０のローディングが行われる。また、イジェクトボタンを押したときも、上述のようにしてＤＶＤ１０はアンローディングされる。
【００４０】
そして、このＤＶＤ１０のローディング時およびアンローディング時、検出ピン３１Ａ、３１Ｂは、ＤＶＤ１０の周縁部に接するが、図１にも示すように、ローラ３１１は逆円錐台状とされているので、ローラ３１１は、ＤＶＤ１０の上側のディスク面と周縁部との稜線部分だけに接することになり、このとき、ローラ３１１と接着剤１３との間には間隙を生じ、ローラ３１１が接着剤１３に接することがない。
【００４１】
したがって、接着剤１３がはみ出していても、ＤＶＤ１０のローディング時およびアンローディング時、検出アーム３１、３２がはみ出した接着剤１３によりはねたり、振動したりすることがなく、異音の発生することがない。
【００４２】
また、ＤＶＤ１０の周縁部にはみ出した接着剤１３の影響を受けることがないので、ローディングおよびアンローディングの動作が安定になる。さらに、異音を発生させないための別部品を必要としないので、省スペース化に対応できるとともに、信頼性を確保することができる。しかも、検出ピン３１Ａ、３２Ａを逆円錐台状のローラ３１１、３１１とするだけでよいので、コストの上昇がない。
【００４３】
なお、上述においては、ＤＶＤ１０を再生するプレーヤの場合について説明したが、２枚のディスクをはり合わせて構成されたディスクに対して再生あるいは記録を行うためのディスク装置であれば、この発明を適用できる。また、ローディング機構やチャッキング機構も、上述の説明のものに限るものではない。
【図面の簡単な説明】
【００４４】
【図１】この発明の一形態を示す拡大正面図である。
【図２】この発明の一形態の第１の状態を示す平面図である。
【図３】この発明の一形態の第２の状態を示す平面図である。
【図４】この発明の一形態の第３の状態を示す平面図である。
【図５】この発明の一形態を示す正面図である。
【図６】この発明を説明するための拡大図である。
【符号の説明】
【００４５】
１０…ＤＶＤ、１３…接着剤、２０…サブシャーシ、２３…スピンドル軸、３１および３２…ディスク検出アーム、３１Ａおよび３２Ａ…ディスク検出ピン、３３…コイルバネ、４０…ローディング機構、４１および４２…ローディングローラ、４４…ローディングモータ、５１および５２…スイッチ、３１１…ローラ、３１２…ピン
【図１】
2006147064.tif 000003
【図２】
2006147064.tif 000004
【図３】
2006147064.tif 000005
【図４】
2006147064.tif 000006
【図５】
2006147064.tif 000007
【図６】
2006147064.tif 000008